【手続補正書】
【提出日】平成16年4月9日(2004.4.9)
【手続補正１】
【補正対象書類名】明細書
【補正対象項目名】発明の名称
【補正方法】変更
【補正の内容】
【発明の名称】電子文書操作システム及びペン装置
【手続補正２】
【補正対象書類名】明細書
【補正対象項目名】特許請求の範囲
【補正方法】変更
【補正の内容】
【特許請求の範囲】
【請求項１】
光学センサと、
文書に筆記するためのペン先と、
外部に信号を送信する送信機と、
電源と、
を備え、前記文書に対して行なわれた筆記動作を検出し、これを電気信号の形態で生成し、生成した電気信号を前記送信機から外部コンピュータに送信することを特徴とするペン装置。
【請求項２】
前記筆記動作の検出は、前記光学センサが前記文書に予め印刷してあるマークを読み取って行うことを特徴とする請求項１記載のペン装置。
【請求項３】
前記光学センサは、前記ペン先近傍に取り付けられていることを特徴とする請求項１記載のペン装置。
【請求項４】
前記光学センサは、側面に取り付けられていることを特徴とする請求項１記載のペン装置。
【請求項５】
前記光学センサは、後端に取り付けられていることを特徴とする請求項１記載のペン装置。
【請求項６】
前記ペン先に印加される力を検出する圧力センサを更に有することを特徴とする請求項１記載のペン装置。
【請求項７】
少なくとも前記光学センサと前記圧力センサとの時間的に同期した入力情報を解析することを特徴とする請求項６記載のペン装置。
【請求項８】
外部コンピュータに送信して解釈または記憶または表示するための光学的データを得ることを特徴とする請求項１ないし７のいずれか一記載のペン装置。
【請求項９】
外部コンピュータに送信して解釈または記憶または表示するための光学的データと筆圧データとを少なくとも得ることを特徴とする請求項６または７記載のペン装置。
【請求項１０】
光学センサと、
文書に筆記するためのペン先と、
外部に信号を送信する送信機と、
電源と、
を備え、前記文書に対して行なわれた筆記動作を検出し、これを電気信号の形態で生成し、生成した電気信号を前記送信機によって送信するペン装置と、
前記送信された電気信号を受信するコンピュータと、
を備えることを特徴とする電子文書操作システム。
【請求項１１】
前記文書に関連付けられた電子的文書に、検出した筆記動作の結果を反映させることを特徴とする請求項１記載のペン装置。
【請求項１２】
前記文書に関連付けられた電子的文書に、検出した筆記動作の結果を反映させることを特徴とする請求項１０記載の電子文書操作システム。
【請求項１３】
光学センサと、
文書に筆記するためのペン先と、
外部に信号を送信する送信機と、
電源と、
を備えることを特徴とするペン装置。
【手続補正３】
【補正対象書類名】明細書
【補正対象項目名】０００６
【補正方法】変更
【補正の内容】
【０００６】
【課題を解決するための手段】
請求項１記載のペン装置発明は、光学センサと、文書に筆記するためのペン先と、外部に信号を送信する送信機と、電源と、を備え、前記文書に対して行なわれた筆記動作を検出し、これを電気信号の形態で生成し、生成した電気信号を前記送信機から外部コンピュータに送信する。
請求項２記載の発明は、請求項１記載のペン装置において、前記筆記動作の検出は、前記光学センサが前記文書に予め印刷してあるマークを読み取って行う。
請求項３記載の発明は、請求項１記載のペン装置において、前記光学センサは、前記ペン先近傍に取り付けられている。
請求項４記載の発明は、請求項１記載のペン装置において、前記光学センサは、側面に取り付けられている。
請求項５記載の発明は、請求項１記載のペン装置において、前記光学センサは、後端に取り付けられている。
請求項６記載の発明は、請求項１記載のペン装置において、前記ペン先に印加される力を検出する圧力センサを更に有する。
請求項７記載の発明は、請求項６記載のペン装置において、少なくとも前記光学センサと前記圧力センサとの時間的に同期した入力情報を解析する。
請求項８記載の発明は、請求項１ないし７のいずれか一記載のペン装置において、外部コンピュータに送信して解釈または記憶または表示するための光学的データを得る。
請求項９記載の発明は、請求項６または７記載のペン装置において、外部コンピュータに送信して解釈または記憶または表示するための光学的データと筆圧データとを少なくとも得る。
請求項１０記載の電子文書操作システムの発明は、光学センサと、文書に筆記するためのペン先と、外部に信号を送信する送信機と、電源と、を備え、前記文書に対して行なわれた筆記動作を検出し、これを電気信号の形態で生成し、生成した電気信号を前記送信機によって送信するペン装置と、前記送信された電気信号を受信するコンピュータと、を備える。
請求項１１記載の発明は、請求項１記載のペン装置において、前記文書に関連付けられた電子的文書に、検出した筆記動作の結果を反映させる。
請求項１２記載の発明は、請求項１０記載の電子文書操作システムにおいて、前記文書に関連付けられた電子的文書に、検出した筆記動作の結果を反映させる。
請求項１３記載のペン装置の発明は、光学センサと、文書に筆記するためのペン先と、外部に信号を送信する送信機と、電源と、を備える。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００８６
【補正方法】変更
【補正の内容】
【００８６】
【発明の効果】
本発明は、上述のように構成したので、ペン装置の多次元空間内での動き、つまり筆記動作を電気信号として記憶するメモリの記憶内容を所望により取り出すことで、ペン装置の動きを再構成し、筆記内容を電子化文書として再現することができる。したがって、
（ａ）小型かつ可搬型であること
（ｂ）ペンを使用するのと同様に自然であること
（ｃ）電子化文書および紙面の両方で機能すること
（ｄ）大型スキャナやデジタル・パッドのような装置が持つ複雑さや不便さを回避可能なこと
というような条件を満たすヒューマン・インタフェース入出力装置としての電子文書操作システムを提供することが可能となる。